(57)【要約】【課題】  ユーザの感情に影響を及ぼしたイベントがいつあったかを振り返ることを可能にする。【解決手段】  本発明は、イベントが発生したことをセンサを介して検知すると、検知した回数を計数する計数手段と、予め設定された時間単位での回数（検知密度）と検知された時刻情報を検知密度記憶手段に格納する検知密度記録手段と、検知密度記録手段から検知密度と時刻情報を読み出して表示手段に表示する読み出し手段と、を有する装置である。また、イベントを検知した回数を計数し、検知密度と検知された時刻情報をサーバに送信する計数手段を端末に有し、イベント記録装置の計数手段から送信された、検知密度と時刻情報を検知密度記憶手段に格納する検知密度記録手段と、検知密度記録手段から検知密度と時刻情報を読み出して、表示手段に表示する読み出し手段をサーバに有する。【選択図】  図１
2014191731.tif 000002
【特許請求の範囲】
【請求項１】
個人の感情に影響を与えたイベントを記録するイベント記録装置であって、
イベントが発生したことを検知すると、検知した回数を計数する計数手段と、
予め設定された時間単位での回数（以下、「検知密度」と記す）と検知された時刻情報を検知密度記憶手段に格納する検知密度記録手段と、
前記検知密度記録手段から前記検知密度と前記時刻情報を読み出して表示手段に表示する読み出し手段と、
を有することを特徴とするイベント記録装置。
【請求項２】
前記検知密度記録手段は、
前記検知密度が所定の密度より少ない場合は、前記密度記憶手段に格納しない手段を含む請求項１記載のイベント記録装置。
【請求項３】
前記計数手段は、
前記イベントが発生した際に、ユーザによって押下されるボタン、
前記イベントが発生した際に、ユーザによって加圧されたことを検知する加圧センサ、
前記イベントが発生した際に、ユーザによって振られたことを検知する加速度センサ、
前記イベントが発生した際に、ユーザによって温度変化が与えられたことを検知する温度センサ、
のいずれかでイベントが検出された際に計数する手段を含む
請求項１記載のイベント記録装置。
【請求項４】
ユーザにより入力された文章を前記密度記憶手段に格納する文章入力手段、
取得した位置情報を前記密度記憶手段に格納する位置情報を位置情報登録手段、
前記位置情報に基づいて位置情報を取得し、前記密度記憶手段に格納する地図情報登録手段、
のいずれかを含む請求項１乃至３のいずれか１項に記載のイベント記録装置。
【請求項５】
前記地図情報登録手段は、
ネットワークに接続されたサーバに位置情報を送信することにより、該位置情報から変換された地図情報を取得して前記密度記憶手段に格納する手段を含む
請求項４記載のイベント記録装置。
【請求項６】
個人の感情に影響を与えたイベントを検出するイベント記録装置と、該イベント記録装置を収容するネットワークサーバを有する共有システムであって、
前記イベント記録装置は、
イベントが発生したことを検知すると、検知した回数を計数し、予め設定された時間単位での回数（以下、「検知密度」と記す）と検知された時刻情報を前記ネットワークサーバに送信する計数手段を有し、
前記ネットワークサーバは、
前記イベント記録装置の前記計数手段から送信された、前記検知密度と前記時刻情報を検知密度記憶手段に格納する検知密度記録手段と、
前記検知密度記録手段から前記検知密度と前記時刻情報を読み出して、前記イベント記録装置の表示手段に表示する読み出し手段と、
を有することを特徴とする共有システム。
【請求項７】
前記ネットワークに接続されるブログサーバを更に有し、
前記ネットワーク情報サーバと前記ブログサーバ間において情報同期をとる
請求項６記載の共有システム。
【請求項８】
前記ネットワークに接続される情報提供サーバを更に有し、
前記ネットワークサーバは、前記検知密度記憶手段に格納されている時刻情報に基づいて前記情報提供サーバから取得した情報を、該検知密度記憶手段の該時刻情報に対応付けて格納する手段を含む
請求項６記載の共有システム。
【発明の詳細な説明】
【技術分野】
【０００１】
本発明は、イベント記録装置及び共有システムに係り、特に、個人の感情に大きく影響のあったイベントを簡便に記録するためのイベント記録装置及び、当該イベント記録装置の機能をネットワーク上に設けた共有システムに関する。
【０００２】
詳しくは、コンサート等、予定されていたイベントや街角で偶然遭遇した出来事（イベント）などに関わらず、個人の感情に大きく影響のあったイベント（以下単に「イベント」と記す）を簡便に記録するためのイベント記録装置及び他者と共有する共有システムに関する。
【背景技術】
【０００３】
過去のこの種のイベントに関する記録は事後に日記等に書き出すことで記録することが種であり、他者と共有する手段はなかった。
【０００４】
近年の形態端末及びインターネットの普及により、電子的なメモ、電子メール、Twitter(登録商標)に代表されるマイクロブログ、ブログ、Facebook（登録商標）などが用いられ、多くの技術では他者と共有することが可能である。
【０００５】
また、携帯端末で測定した利用者の位置情報のみを手掛かりとし、地図情報と合わせて利用者から日記作成の指示を受けた時点で利用者の行動が予め登録された行動パターンに一致する場合はそれにあった定型文をとりあえず、その時点の記録としておき、後でワードプロセッサ等により利用者が編集する技術がある（例えば、特許文献１参照）。
【先行技術文献】
【特許文献】
【０００６】
【特許文献１】特開2002-215611号公報
【発明の概要】
【発明が解決しようとする課題】
【０００７】
しかしながら、インターネットを介した電子的な手段を用いたとしても、イベントを記録するのはイベントが終了した後のことであり、イベントが生じていた時には感動などの感情の高ぶりが収まった後であるため、特に感情面において主観的な記録が取れない（表現しきれない）ことが多く、また、特にイベント終了後時間が経ってしまったときには、そのイベントが生じた時刻、場所など正確な記録ができず忘れてしまうことも多かった。
【０００８】
また、特許文献１の技術は、位置情報のみを手掛かりとして正確な行動を推定することは非常に困難であること、抽出された行動から有限の行動パターンに一致させることは更に困難であること、利用者の感情に関わる情報を一切記録できないという問題がある。
【０００９】
本発明は、上記の点に鑑みなされたもので、ユーザの感情に影響を及ぼしたイベントがいつあったかを振り返ることが可能なイベント記録装置及び共有システムを提供することを目的とする。
【課題を解決するための手段】
【００１０】
上記の課題を解決するため、本発明（請求項１）は、個人の感情に影響を与えたイベントを記録するイベント記録装置であって、
イベントが発生したことを検知すると、検知した回数を計数する計数手段と、
予め設定された時間単位での回数（以下、「検知密度」と記す）と検知された時刻情報を検知密度記憶手段に格納する検知密度記録手段と、
前記検知密度記録手段から前記検知密度と前記時刻情報を読み出して表示手段に表示する読み出し手段と、を有する。
【００１１】
また、本発明（請求項２）は、前記検知密度記録手段において、
前記検知密度が所定の密度より少ない場合は、前記密度記憶手段に格納しない手段を含む。
【００１２】
また、本発明（請求項３）は、前記計数手段において、
前記イベントが発生した際に、ユーザによって押下されるボタン、
前記イベントが発生した際に、ユーザによって加圧されたことを検知する加圧センサ、
前記イベントが発生した際に、ユーザによって振られたことを検知する加速度センサ、
前記イベントが発生した際に、ユーザによって温度変化が与えられたことを検知する温度センサ、のいずれかでイベントが検出された際に計数する手段を含む。
【００１３】
また、本発明（請求項４）は、ユーザにより入力された文章を前記密度記憶手段に格納する文章入力手段、
取得した位置情報を前記密度記憶手段に格納する位置情報を位置情報登録手段、
前記位置情報に基づいて位置情報を取得し、前記密度記憶手段に格納する地図情報登録手段、のいずれかを含む。
【００１４】
また、本発明（請求項５）は、前記地図情報登録手段において、
ネットワークに接続されたサーバに位置情報を送信することにより、該位置情報から変換された地図情報を取得して前記密度記憶手段に格納する手段を含む。
【００１５】
また、本発明（請求項６）は、個人の感情に影響を与えたイベントを検出するイベント記録装置と、該イベント記録装置を収容するネットワークサーバを有する共有システムであって、
前記イベント記録装置は、
イベントが発生したことを検知すると、検知した回数を計数し、予め設定された時間単位での回数（以下、「検知密度」と記す）と検知された時刻情報を前記ネットワークサーバに送信する計数手段を有し、
前記ネットワークサーバは、
前記イベント記録装置の前記計数手段から送信された、前記検知密度と前記時刻情報を検知密度記憶手段に格納する検知密度記録手段と、
前記検知密度記録手段から前記検知密度と前記時刻情報を読み出して、前記イベント記録装置の表示手段に表示する読み出し手段と、を有する。
【００１６】
また、本発明（請求項７）は、前記ネットワークに接続されるブログサーバを更に有し、
前記ネットワーク情報サーバと前記ブログサーバ間において情報同期をとる。
【００１７】
また、本発明（請求項８）は、前記ネットワークに接続される情報提供サーバを更に有し、
前記ネットワークサーバは、前記検知密度記憶手段に格納されている時刻情報に基づいて前記情報提供サーバから取得した情報を、該検知密度記憶手段の該時刻情報に対応付けて格納する手段を含む。
【発明の効果】
【００１８】
上記のように本発明によれば、コンサート等のように予定されていたイベントや街角で遭遇したイベントなどに関わらず、個人の感情に大きく影響のあったイベントをその場で簡便に記録することで、感情の高ぶったその時点での新鮮な記録とすることができる。
【００１９】
また、イベント後にメモを付け足すことや、日時情報や位置情報などの周辺情報も同時に記録することによって、思い出し易い記録することができる。
【００２０】
また、記録された情報をインターネットを介してブログとして公開することにより、自分と同じ対象で感情に大きく影響があったと思われる他の人々と広く感動を共有できる。
【図面の簡単な説明】
【００２１】
【図１】本発明の第１の実施の形態におけるイベント記録装置（携帯端末）の構成図である。
【図２】本発明の第１の実施の形態における打鍵密度記録処理のフローチャートである。
【図３】本発明の第１の実施の形態における打鍵密度読み出し処理のフローチャートである。
【図４】本発明の第２の実施の形態におけるイベント記録装置（携帯端末）の構成図である。
【図５】本発明の第２の実施の形態における打鍵密度記録処理のフローチャートである。
【図６】本発明の第３の実施の形態におけるイベント記録装置（携帯端末）の構成図である。
【図７】本発明の第３の実施の形態におけるメモリ入力時のフローチャートである。
【図８】本発明の第４の実施の形態におけるイベント記録装置（携帯端末）の構成図である。
【図９】本発明の第４の実施の形態における打鍵密度記録処理のフローチャート（その１）である。
【図１０】本発明の第４の実施の形態における打鍵密度記録処理のフローチャート（その２）である。
【図１１】本発明の第５の実施の形態におけるイベント記録装置（携帯端末）の構成図である。
【図１２】本発明の第５の実施の形態における打鍵密度記録処理のフローチャート（その１）である。
【図１３】本発明の第５の実施の形態における打鍵密度記録処理のフローチャート（その２）である。
【図１４】本発明の第６の実施の形態における共有システムの構成図である。
【図１５】本発明の第６の実施の形態における打鍵密度記録処理のフローチャート（その１）である。
【図１６】本発明の第６の実施の形態における打鍵密度記録処理のフローチャート（その２）である。
【図１７】本発明の第７の実施の形態における共有システムの構成図である。
【図１８】本発明の第７の実施の形態における打鍵密度記録処理のフローチャート（その１）である。
【図１９】本発明の第７の実施の形態における打鍵密度記録処理のフローチャート（その２）である）。
【図２０】本発明の第８の実施の形態における共有システムの構成図である。
【図２１】本発明の第８の実施の形態におけるブログの表示例である。
【図２２】本発明の第９の実施の形態における共有システムの構成図である。
【図２３】本発明の第９の実施の形態におけるブログの表示例である。
【発明を実施するための形態】
【００２２】
以下、図面と共に本発明の実施の形態を説明する。
【００２３】
［第１の実施の形態］
図１は、本発明の第１の実施の形態におけるイベント記録装置（携帯端末）の構成を示す。
【００２４】
同図に示すイベント記録装置は、特定のボタンあるいは新規ボタン１００、打鍵計数部１１０、打鍵密度記録部１２０、内部時計１３０、打鍵密度保持部１４０、打鍵密度読み出し部１５０、打鍵密度表示部１６０、アンテナ５００、送信部９１０、受信部９２０、ディスプレイ部９４０、携帯端末制御部９９０を有する。
【００２５】
打鍵密度保持部１４０は、年月日に対応する打鍵回数からなるテーブルを保持している。
【００２６】
以下、当該携帯端末の要部である特定のボタンあるいは新規ボタン１００、打鍵計数部１１０、打鍵密度記録部１２０、内部時計１３０、打鍵密度保持部１４０の処理について説明する。
【００２７】
図２は、本発明の第１の実施の形態における打鍵密度記録処理のフローチャートである。
【００２８】
ステップ１０１）  特定のボタンあるいは新規ボタン１００は、打鍵計数部１１０の打鍵回数値をリセットする。
【００２９】
ステップ１０２）  打鍵計数部１１０は、ボタン１００が押下された場合は、打鍵回数値をカウントアップする。
【００３０】
ステップ１０３）  打鍵計数部１１０は、打鍵密度記録部１２０から吐き出し要求を受信した場合はステップ１０４に移行し、受信しない場合は、ボタン１００の押下を待機する。
【００３１】
ステップ１０４）  打鍵計数部１１０は、打鍵回数値を打鍵密度記録部１２０に送信する。
【００３２】
ステップ１０５）  打鍵計数部１１０は、打鍵回数値をリセットし、ボタン１００の押下を待機する。
【００３３】
ステップ１０６）  打鍵密度記録部１２０は、内部時計１３０の読み出しを行う。
【００３４】
ステップ１０７）  内部時計１３０は、内部時計情報を打鍵密度記録部１２０に送信する。
【００３５】
ステップ１０８）  打鍵密度記録部１２０は、打鍵記録した時刻であればステップ１０９に移行し、そうでなければステップ１０６に戻る。
【００３６】
ステップ１０９）  打鍵密度記録部１２０は打鍵計数部１１０へ吐き出し要求を出力する。以降、打鍵計数部１１０によりステップ１０３、１０４の処理が行われる。
【００３７】
ステップ１１０）  打鍵計数部１１０から打鍵回数値を受信する。
【００３８】
ステップ１１１）  打鍵密度記録部１２０は、退避された内部時計情報と打鍵回数を打鍵密度保持部１４０に保存する。
【００３９】
ステップ１１２）  打鍵密度保持部１４０は、内部時計情報と打鍵回数を打鍵密度として保存する。
【００４０】
ステップ１１３）  打鍵密度記録部１２０は、内部時計情報を退避し、ステップ１０６に移行する。
【００４１】
次に、打鍵密度読み出し時の処理について説明する。
【００４２】
図３は、本発明の第１の実施の形態における打鍵密度読み出し処理のフローチャートである。
【００４３】
ステップ２０１）  打鍵密度読み出し部１５０は、表示開始情報（年月日時刻）と表示終了情報を指定して打鍵密度保持部１４０へ問い合わせる。
【００４４】
ステップ２０２）  打鍵密度保持部１４０は、表示開始情報（年月日時刻）と表示終了情報の間の打鍵密度情報を打鍵密度読み出し部１５０に送信する。
【００４５】
ステップ２０３）  打鍵密度読み出し部１５０は、打鍵密度情報を打鍵密度保持部１４０から受信する。
【００４６】
ステップ２０４）  打鍵密度読み出し部１５０は、打鍵密度情報を打鍵密度表示部１６０へ送信する。
【００４７】
ステップ２０５）  打鍵密度表示部１６０は、打鍵密度情報を適切な表示形式に変換し、ディスプレイ部９４０に送信する。
【００４８】
ステップ２０６）  ディスプレイ部９４０は、打鍵密度情報を表示する。
【００４９】
上記のように本実施の形態では、携帯端末の特定のボタンあるいは新規ボタン１００（ソフトウェアボタンも可）を設置し、打鍵された回数を測定する打鍵計数部１１０及び形態端末の内部時計１３０のデータ（年月日時刻）と打鍵計数結果を対応して記録する打鍵密度記録部１２０と打鍵密度保持部１４０を具備しており、予め設定された時間単位での打鍵数（打鍵密度）を年月日時刻情報と共に記録することができる。記録された打鍵密度は打鍵密度読み出し部１５０より年月日時刻と共に読み出すことができ、打鍵密度表示部１６０により利用者に表示することができる。
【００５０】
感情に影響があった度合いにより、単位時間にボタンを押す回数を増やすルールを定めることにより、イベント後にいつ感情に影響がどれくらいあったイベントがあったことを振り返ることができる。
【００５１】
［第２の実施の形態］
図４は、本発明の第２の実施の形態におけるイベント記録装置（携帯端末）の構成を示す。同図において、図１の構成と同一構成部分には同一符号を付し、その説明を省略する。
【００５２】
同図に示すイベント記録装置は、図１の構成に、最低記録打鍵密度保持部１２２を加えた構成である。
【００５３】
図５は、本発明の第２の実施の形態における打鍵密度記録処理のフローチャートである。
【００５４】
同図において、図２と同様の処理については同一ステップ番号を付し、その説明を省略する。
【００５５】
図２の処理と異なる部分について説明する。
【００５６】
打鍵密度記録部１２０において、打鍵計数部１１０から打鍵回数値を受信すると（ステップ１１０）、最低記録打鍵密度を最低記録打鍵密度保持部１２２から読み出し（ステップ３０１，３０２）、最低記録打鍵密度が所定の打鍵密度より小さい場合は、打鍵密度記録部１２０には記録せずに、ステップ１０６に移行し、最低記録打鍵密度が所定の打鍵密度以上の場合は退避された内部時計情報と打鍵回数を打鍵密度保持部１４０に保存し（ステップ３０４，３０５）、打鍵密度記録部１２０に内部時計情報を退避し（ステップ３０６）、ステップ１０６に戻る。
【００５７】
打鍵密度読み出し時の処理は、第１の実施の形態の図３の処理と同様であるので、その説明を省略する。
【００５８】
上記のように、実施の形態では、予め設定された打鍵密度より少ない打鍵密度は打鍵密度保持部１４０に記録しないようにすることで、記録容量の低減を実現している。
【００５９】
［第３の実施の形態］
図６は、本発明の第３の実施の形態におけるイベント記録装置（携帯端末）の構成を示す。同図において、図４と同一構成部分については同一符号を付し、その説明を省略する。
【００６０】
本実施の形態では図４の構成に文字入力インタフェース９５０、メモを入力するための文書入力部１７０を付加した構成である。
【００６１】
図７は、本発明の第３の実施の形態におけるメモ入力時のフローチャートである。同図に示す以外の処理は第１、第２の実施の形態と同様であるので、その説明を省略する。
【００６２】
文字入力インタフェース９５０が、年月日時刻を指定すると（ステップ４０１）、文章入力部１７０は、指定された年月日時刻を保持し（ステップ４０２）、文字入力インタフェース９５０は、メモ文章を入力し（ステップ４０３）、文章入力部１７０は年月日時刻をキーとしてメモ文章を打鍵密度記録部１２０に保存する（ステップ４０４、４０５）。
【００６３】
上記のように、本実施の形態では、第１、第２の実施の形態に加えて、打鍵密度記録部１２０にメモを入力できるレコードが追加されており、文章入力部１７０によりイベント記録完了後に任意のイベントにメモが記録できる。
【００６４】
なお、本実施の形態では、文書入力部１７０の例を示したが、この例に限定されることなく、当該イベント記録装置に写真撮影機能、写真読み取り機能が備えられている場合には、文書入力部の代わりに写真入力部を設け、指定された年月日に対応する、当該機能を介して取得した写真を打鍵密度記憶部１２０に格納することも可能である。
【００６５】
［第４の実施の形態］
図８は、本発明の第４の実施の形態におけるイベント記録装置（携帯端末）の構成を示す。同図において、図１、図４、図６と同一構成部分には同一符号を付し、その説明を省略する。
【００６６】
本実施の形態における打鍵密度保持部１４０は、年月日時刻、打鍵回数、メモに加え、携帯端末制御部９９０により取得したGPS情報や基地局情報等による携帯端末の位置情報（緯度・経度）をイベント毎に記録する点において第３の実施の形態と異なる。
【００６７】
図９、図１０は、本発明の第４の実施の形態における打鍵密度記録処理のフローチャートである。図９、図１０において、図５と同一動作については同一ステップ番号を付し、その説明を省略する。
【００６８】
打鍵密度記録部１２０において、打鍵回数値が所定の最低記録打鍵密度以上である場合は（ステップ３０３,Yes）、打鍵密度記録部１２０は、携帯端末制御部９９０から当該携帯端末の位置情報を読み出す（ステップ４０１，４０２）。打鍵密度記憶部１２０は、退避された内部時計情報と位置情報と打鍵回数を打鍵密度保持部１４０に保存し（ステップ４０３，４０４）、内部時計情報を退避する（ステップ３０６）。
【００６９】
［第５の実施の形態］
図１１は、本発明の第５の実施の形態におけるイベント記録装置（携帯端末）の構成を示す。同図において、図１，４，６，８と同一構成部分には同一符号を付し、その説明を省略する。
【００７０】
図１１に示すイベント記録装置は、第４の実施の形態における図８の構成に、地図情報変換部１９０、地図情報記録部２００を加え、さらに、打鍵密度保持部１４０には、第４の実施の形態の位置情報に代えて、地図情報を格納する。
【００７１】
図１２、図１３は、本発明の第５の実施の形態における打鍵密度記録処理のフローチャートである。図１２、図１３において、図５と同一動作については同一ステップ番号を付し、その説明を省略する。本実施の形態では、図１２の処理は第４の実施の形態と同様であるので説明を省略し、図１３の処理について説明する。
【００７２】
打鍵密度記録部１２０は地図情報を読み出す（ステップ５０１）。地図情報変換部１９０は携帯端末制御部９９０から位置情報を取得し（ステップ５０２，５０３）、当該位置情報に基づいて地図情報が格納されているファイルを参照して、位置情報を地図情報に変換し（ステップ５０４）、打鍵密度記録部１２０に渡す。打鍵密度記録部１２０は、退避された内部時計情報と地図情報と打鍵回数を打鍵密度保持部１４０に格納し（ステップ５０５，５０６）、内部時計情報を退避する（ステップ３０６）。
【００７３】
上記のように、本実施の形態では、第４の実施の形態の打鍵密度保持部１４０の位置情報を記録するレコードを配し、地図上の住所（地図情報）を記録するレコードが追加されており、さらに、地図情報変換部１９０及び地図情報記録部２００が具備されており、携帯端末の位置情報が地図情報に変換されて打鍵密度記録部１２０に記録される。
【００７４】
［第６の実施の形態］
図１４は、本発明の第６の実施の形態における共有システムの構成を示す。
【００７５】
本実施の形態では、第５の実施の形態における地図情報変換部１９０、地図情報記録部２００をサーバ２に具備した構成である。
【００７６】
ネットワーク１に接続されるサーバ２は、地図情報変換部１９０、地図情報記憶部２０１を有し、携帯端末１０から位置情報をサーバ２に送ることにより、地図情報が返却されることにより、打鍵密度記録部１２０に記録されることで、非常に大きくなりがちな地図情報を携帯端末１０に載せることによる携帯端末１０の記憶容量の圧迫を回避することができる。
【００７７】
図１５、図１６は、本発明の第６の実施の形態における打鍵密度記録処理のフローチャートである。図１５、図１６において、図１２，１３と同一処理については同一のステップ番号を付し、その説明を省略する。
【００７８】
図１５の処理は図１２の処理と同様であるので、その説明は省略し、図１６に沿って説明する。
【００７９】
打鍵密度記録部１２０は、携帯端末制御部９９０から位置情報を取得し（ステップ５０１，６０１）、取得した位置情報を携帯端末制御部９９０からネットワーク１を介してサーバ２の地図情報変換部１９１に送出し、地図情報変換部１９１は、位置情報に基づいて地図情報記録部２０１から地図情報を取得し（ステップ６０４）、ネットワーク１を介して打鍵密度記録部１２０に送出する。打鍵密度記録部１２０は、退避された内部時計情報と地図情報と打鍵回数を打鍵密度保持部１４０に保存する（ステップ５０５，５０６）。打鍵密度記録部１２０は、内部時計情報を退避する（ステップ３０６）。
【００８０】
［第７の実施の形態］
図１７は、本発明の第７の実施の形態おける共有システムの構成を示す。
【００８１】
第１〜第６の実施の形態では、打鍵密度記録部１２０、打鍵密度読み出し部１５０、打鍵密度保持部１４０を携帯端末１０に具備したが、本実施の形態では、打鍵密度記録部１２１、打鍵密度読み出し部１５１、打鍵密度保持部１４１をネットワーク情報サーバ３上に配置し、サーバ２には、第６の実施の形態と同様に、地図情報変換部１９１、地図情報記録部２０１を具備する。
【００８２】
また、携帯端末１０は、打鍵計数部１１０のカウントを一時的に保持するための打鍵数一時保持部１２３を有する。
【００８３】
図１８，１９は、本発明の第７の実施の形態における打鍵密度記録処理のフローチャートである。
【００８４】
図１８，１９において、図１５，１６と同一処理については同一ステップ番号を付し、その説明を省略する。
【００８５】
打鍵数一時保持部１２３では、内部時計１３０から内部時計情報を読み出し（ステップ７０３，７０４）、内部時計情報が打鍵記録時刻である場合には（ステップ７０５、Yes）、打鍵計数部１１０に吐き出しを要求し（ステップ７０６）、打鍵回数値を受信すると（ステップ７０７）、最低記録打鍵密度保持部１２２から最低記録打鍵密度を読み出して（ステップ７０８，７０９）、打鍵回数値が最低記録打鍵密度以上であればステップ７１１の処理に移行し、そうでなければ位置情報を取得せずにステップ７０３に戻る。
【００８６】
打鍵数一時保持部１２３は、携帯端末制御部９９０から位置情報を取得し（ステップ７１１，７１２）、退避された内部時計情報、打鍵回数、位置情報をネットワーク情報サーバ３の打鍵密度記録部１２１に送信する（ステップ７１３）。
【００８７】
打鍵密度記録部１２１は、位置情報をサーバ２の地図情報変換部１９１に送信し、変換された地図情報を取得し（ステップ７１４，７１５）、退避された内部時計情報と地図情報と打鍵回数を打鍵密度保持部１４１に保存する（ステップ７１６，７１７）。
【００８８】
打鍵密度保持部１４１は、ネットワーク１を介して打鍵数一時保持部１２３に保存したことを通知すると、内部情報一時保持部１２３は、内部時計情報を退避する（ステップ３０６）。
【００８９】
上記のように、本実施の形態では、第５、第６の実施の形態における打鍵密度記録部１２０、打鍵密度保持部１４０、打鍵密度読み出し部１５０が、携帯端末１０が属するネットワーク情報サーバ３として実現されており、携帯端末１０には、対応する打鍵数一時保持部１２３を具備することで、携帯端末１０の記憶容量を圧迫しない。
【００９０】
［第８の実施の形態］
図２０は、本発明の第８の実施の形態における共有システムの構成を示す。
【００９１】
同図に示すシステムは、第７の実施の形態の構成に加えて、ネットワーク１に接続されたブログサーバ３００を有し、打鍵密度記録部１２１に記憶された情報をブログサーバ３００に載せ、情報動機を行い、打鍵密度情報をブログとしてネットワークに公開し、他者と共有するものである。ブロクの表示例を図２１に示す。
【００９２】
［第９の実施の形態］
図２２は、本発明の第９の実施の形態における共有システムの構成を示す。
【００９３】
本実施の形態では、ブログサーバ３００に地図マッピング変換部３１０を具備した構成である。地図マッピング変換部３１０は、打鍵密度記憶部１２１内の位置情報あるいは、地図情報を用いて図２３に示すように地図の上に表示する。
【００９４】
これにより、地図上で分かりやすく情報を示している。
【００９５】
なお、上記の実施の形態では、ユーザが感動したことを入力するために、携帯端末の特定のボタンあるいは新規ボタン（または、ソフトウェアのボタン）１００を打鍵した回数を測定して、打鍵密度記録部１４０に保持するものとして説明したが、この例に限定されることなく、打鍵回数ではなく、携帯端末に加速度センサを設け、ユーザが携帯端末を振ったときに変化した加速度を測定し、これを加速度密度記録部に内部時計情報と対応付けて格納しておくことも可能である。
【００９６】
また、加速度センサ以外にも、圧力センサを具備し、ユーザが感動したら携帯端末を強く握ることにより計測することが可能である。
【００９７】
上記以外の構成として、打鍵密度記憶部１２１に格納されている時刻情報に基づいて、インターネットを介して、当該時刻情報に対応する天気情報、任意の写真、ニュース等を取得して、当該時刻情報と紐付けして打鍵密度記憶部１２１に格納しておくことも可能である。
【００９８】
上記の実施の形態における携帯端末１０の構成要素の動作をプログラムとして構築し、携帯端末として利用されるコンピュータにインストールして実行させる、または、ネットワークを介して流通させることが可能である。
【００９９】
なお、本発明は、上記の実施の形態に限定されることなく、特許請求の範囲内において、種々変更・応用が可能である。
【符号の説明】
【０１００】
１  ネットワーク
２  サーバ
３  ネットワーク情報サーバ
１０  携帯端末
１００  特定のボタンあるいは新規ボタン
１１０  打鍵計数部
１２０  打鍵密度記録部
１２１  打鍵密度記録部
１２２  最低記録打鍵密度保持部
１２３  打鍵数一時保持部
１３０  内部時計
１４０  打鍵密度保持部
１４１  打鍵密度保持部
１５０  打鍵密度読み出し部
１５１  打鍵密度読み出し部
１６０  打鍵密度表示部
１７０  文章入力部
１９０  地図情報変換部
１９１  地図情報変換部
２００  地図情報記録部
２０１  地図情報記録部
３００  ブログサーバ
５００  アンテナ
９１０  送信部
９２０  受信部
９４０  ディスプレイ部
９５０  文字入力インタフェース
９９０  携帯端末制御部
９９０  携帯端末制御部
【図１】
2014191731.tif 000003
【図２】
2014191731.tif 000004
【図３】
2014191731.tif 000005
【図４】
2014191731.tif 000006
【図５】
2014191731.tif 000007
【図６】
2014191731.tif 000008
【図７】
2014191731.tif 000009
【図８】
2014191731.tif 000010
【図９】
2014191731.tif 000011
【図１０】
2014191731.tif 000012
【図１１】
2014191731.tif 000013
【図１２】
2014191731.tif 000014
【図１３】
2014191731.tif 000015
【図１４】
2014191731.tif 000016
【図１５】
2014191731.tif 000017
【図１６】
2014191731.tif 000018
【図１７】
2014191731.tif 000019
【図１８】
2014191731.tif 000020
【図１９】
2014191731.tif 000021
【図２０】
2014191731.tif 000022
【図２１】
2014191731.tif 000023
【図２２】
2014191731.tif 000024
【図２３】
2014191731.tif 000025